(57)【要約】【課題】発光素子の故障に対して高い冗長性を持つ光通信システムを安価に実現する。【解決手段】本発明の光通信システム１は、第１の電気信号φ１１と、この第１の電気信号から遅延した第２の電気信号φ１２とを並列に出力する手段（５，６）と、第１の電気信号φ１１を光信号Ｌ１に変換する第１の発光素子７と、第２の電気信号φ１２を光信号Ｌ２に変換する第２の発光素子８と、第１の発光素子７及び第２の発光素子８によって変換された各々の光信号Ｌ１，Ｌ２を伝送する光伝送路３と、この伝送路３を介して光信号を受光する受光素子１１と、この受光素子１１で受光された光信号を電気信号に変換する受信回路１２とを備える。【選択図】図１
2006314024.tif 000002
【特許請求の範囲】
【請求項１】
第１の電気信号と当該第１の電気信号から遅延した第２の電気信号とを並列に出力する出力手段と、
前記出力手段から出力された前記第１の電気信号にしたがって駆動することにより、前記第１の電気信号を光信号に変換する第１の発光素子と、
前記出力手段から出力された前記第２の電気信号にしたがって駆動することにより、前記第２の電気信号を光信号に変換する第２の発光素子と、
前記第１の発光素子及び前記第２の発光素子によって変換された各々の光信号を伝送する光伝送路と、
前記光伝送路を介して光信号を受光する受光素子と、
前記受光素子で受光された光信号を電気信号に変換する受信回路と
を備えることを特徴とする光通信システム。
【請求項２】
第１の電気信号と当該第１の電気信号から遅延した第２の電気信号とを並列に出力する出力手段と、
前記出力手段から出力された前記第１の電気信号にしたがって駆動することにより、前記第１の電気信号を光信号に変換する第１の発光素子と、
前記出力手段から出力された前記第２の電気信号にしたがって駆動することにより、前記第２の電気信号を光信号に変換する第２の発光素子と
を有することを特徴とする光送信モジュール。
【請求項３】
前記出力手段は、前記第１の電気信号からの遅延時間が相対的に異なる複数の遅延信号を前記第２の電気信号として出力し、
前記第２の発光素子は、前記複数の遅延信号に応じて複数個設けられている
ことを特徴とする請求項２記載の光送信モジュール。
【請求項４】
前記第１の発光素子及び前記第２の発光素子によって変換された各々の光信号を共通の光伝送路に導く導光部材を具備する
ことを特徴とする請求項２記載の光送信モジュール。
【請求項５】
第１の電気信号と当該第１の電気信号から遅延した第２の電気信号とを並列に出力する出力手段と、前記出力手段から出力された前記第１の電気信号にしたがって駆動することにより、前記第１の電気信号を光信号に変換する第１の発光素子と、前記出力手段から出力された前記第２の電気信号にしたがって駆動することにより、前記第２の電気信号を光信号に変換する第２の発光素子とを有する光送信モジュールから送信された光信号を光伝送路を介して受光する受光素子と、
前記受光素子で受光された光信号を電気信号に変換する受信回路と
を有することを特徴とする光受信モジュール。
【請求項６】
前記第１の電気信号は、一定周期の信号からなり、
前記受信回路は、前記第１の電気信号と同一周期で光信号を検知する
ことを特徴とする請求項５記載の光受信モジュール。
【請求項７】
第１の電気信号と当該第１の電気信号から遅延した第２の電気信号とを並列に出力する出力手段と、前記出力手段から出力された前記第１の電気信号にしたがって駆動することにより、前記第１の電気信号を光信号に変換する第１の発光素子と、前記出力手段から出力された前記第２の電気信号にしたがって駆動することにより、前記第２の電気信号を光信号に変換する第２の発光素子とを有する光送信モジュールと、
光送信モジュールから送信された光信号を光伝送路を介して受光する受光素子と、前記受光素子で受光された光信号を電気信号に変換する受信回路とを有する光受信モジュールと
を備えることを特徴とする光送受信モジュールユニット。
【発明の詳細な説明】
【技術分野】
【０００１】
本発明は、例えばＬＡＮ(Local Area Network)、ＷＡＮ(Wide Area Network)等のネットワークにおいて光通信を実現する際に適用して好適な光通信システム、光送信モジュール、光受信モジュール及び光送受信モジュールユニットに関する。
【背景技術】
【０００２】
一般に、高い信頼性が要求される光通信システムでは、デバイスの故障等の通信障害に対して十分な冗長性を持たせることが有益である。光通信システムにおけるデバイスの故障として最も致命的なものは、半導体レーザや発光ダイオードといった発光素子の劣化や故障がある。なぜなら、発光素子の劣化や故障は通信障害に直結するからである。とりわけ低コスト化が望まれる光アクセス網やホームネットワークでは、光ディスク等で使用されている民生用の発光素子を用いて、比較的安価な光通信を実現するアイデアも考えられているが、そうした民生用の発光素子は信頼性に劣るという難点がある。また、発光素子の劣化や寿命には素子毎にばらつきがあるため、その影響でデバイスやシステム自体の信頼性もばらつくという問題がある。
【０００３】
このような問題を解決する従来技術の一つとして、故障に対して冗長性を持たせた光通信方式を実現するアイデアが考えられている。具体的には、発光素子の故障に備えて予め予備の発光素子を設けておき、使用中の発光素子が故障した場合にそれを検知して予備の発光素子に切り替える技術が公知となっている（例えば、特許文献１及び特許文献２を参照）。こうした従来技術では、予め発光素子の状態を監視しながらその故障を検知する検知回路を設けて、駆動回路を切替えるという方式を採用している。
【０００４】
【特許文献１】特開２０００−１９６１８４号公報
【特許文献２】特開２０００−１８３８１７号公報
【発明の開示】
【発明が解決しようとする課題】
【０００５】
しかしながら、上記従来の技術では、発光素子の動作状態を監視するモニタ機能や発光素子の故障を検知して駆動回路を切替える機能を追加する必要がある。このため、回路構成的に複雑かつ高コストになってしまう。
【課題を解決するための手段】
【０００６】
本発明に係る光通信システムは、第１の電気信号と当該第１の電気信号から遅延した第２の電気信号とを並列に出力する出力手段と、この出力手段から出力された第１の電気信号にしたがって駆動することにより、第１の電気信号を光信号に変換する第１の発光素子と、出力手段から出力された第２の電気信号にしたがって駆動することにより、第２の電気信号を光信号に変換する第２の発光素子と、第１の発光素子及び第２の発光素子によって変換された各々の光信号を伝送する光伝送路と、この光伝送路を介して光信号を受光する受光素子と、この受光素子で受光された光信号を電気信号に変換する受信回路とを備えるものである。
【０００７】
本発明に係る光通信システムにおいては、第１の発光素子と第２の発光素子が共に故障していない場合は、いずれか一方の発光素子によって変換された光信号が光伝送路を介して受光素子に受光される。また、第１の発光素子が故障した場合は、第２の発光素子によって変換された光信号が光伝送路を介して受光素子に受光され、第２の発光素子が故障した場合は、第１の発光素子によって変換された光信号が光伝送路を介して受光素子に受光される。これにより、いずれか一方の発光素子が故障した場合でも、光伝送路を介して光信号が受光素子に受光されるため、そこで受光した光信号を受信回路で電気信号に変換することが可能となる。
【発明の効果】
【０００８】
本発明の光通信システムによれば、第１の発光素子及び第２の発光素子のうち、いずれの一方の発光素子が故障した場合でも、他方の発光素子で変換した光信号を受信回路で電気信号に変換させることができる。したがって、従来ように発光素子の動作状態を監視するモニタ機能や発光素子の故障を検知して駆動回路を切替える機能を設けなくても、発光素子の故障に対する光通信システムの冗長性を高めることができる。この結果、発光素子の故障に対して冗長性の高い光通信システムを安価に実現することが可能となる。
【発明を実施するための最良の形態】
【０００９】
以下、本発明の具体的な実施の形態について図面を参照しつつ詳細に説明する。
【００１０】
図１は本発明の第１実施形態に係る光通信システムの構成を示す概略図である。図示した光通信システム１は、大きくは、光送信モジュール２と、光伝送路３と、光受信モジュール４とを備えた構成となっている。
【００１１】
光送信モジュール２は、発光素子駆動回路（以下、単に「駆動回路」と記す）５と、遅延回路６と、第１の発光素子７と、第２の発光素子８と、導光部材９とを用いて構成されている。また、光受信モジュール４は、集光部材１０と、受信素子１１と、受信回路１２とを用いて構成されている。
【００１２】
駆動回路５は、１つの入力端子と２つの出力端子を備えたもので、入力端子から入力された電気信号φ１を、内部の分岐回路（又は分岐配線）で第１の電気信号φ１１と第２の電気信号φ１２とに分岐するとともに、第１の電気信号φ１１を一方の出力端子から、第２の電気信号φ１２１を他方の出力端子から、それぞれ同時に出力するものである。駆動回路５に入力される電気信号φ１は、一定周期Ｔのパルス信号である。したがって、駆動回路５から出力される第１の電気信号φ１１と第２の電気信号φ１２は、いずれも元の電気信号φ１に同期したパルス信号となる。また、駆動回路５から出力される第１の電気信号φ１１と第２の電気信号φ１２は、それぞれに対応する発光素子を駆動するための信号（以下、「発光素子駆動信号」とも記す）となる。
【００１３】
遅延回路６は、駆動回路５から出力された第２の電気信号φ１２を時間的に遅延させるものである。遅延回路６による信号遅延時間ｄは、元の電気信号φ１のパルス幅（アクティブ時間）よりも長く、かつ当該電気信号φ１のパルス周期Ｔの１／２以下の範囲内で設定することが望ましい。この遅延回路６は、上記駆動回路５との組み合わせにより、本発明における「出力手段」、すなわち第１の電気信号φ１１と当該第１の電気信号φ１１から遅延した第２の電気信号φ１２とを並列に出力する出力手段を構成するものとなる。
【００１４】
第１の発光素子７は、例えば半導体レーザー、ＬＥＤ(Light Emitting Diode)等により構成されるものである。第１の発光素子７は、駆動回路５から出力される第１の電気信号φ１１にしたがって駆動（発光動作）することにより、第１の電気信号φ１１を光信号（以下、「第１の光信号」とも記す）Ｌ１に変換するものである。
【００１５】
第２の発光素子８は、上記第１の発光素子７と同様（同一タイプ）の発光素子（半導体レーザー、ＬＥＤ等）により構成されるものである。第２の発光素子８は、駆動回路５から出力されかつ遅延回路６で遅延された第２の電気信号φ１２にしたがって駆動（発光動作）することにより、第２の電気信号φ１２を光信号（以下、「第２の光信号」とも記す）Ｌ２に変換するものである。
【００１６】
導光部材９は、第１の発光素子７によって変換された第１の光信号Ｌ１と第２の発光素子８によって変換された第２の光信号Ｌ２とを導光する光学部品（例えば、レンズ）によって構成されるものである。導光部材９は、第１の光信号Ｌ１と第２の光信号Ｌ２とを光学的に結合（合成）させた状態で、それらの光信号Ｌ１，Ｌ２を光伝送路３の一端部（光取り込み口）に導くものである。
【００１７】
この導光部材９を用いることにより、第１の発光素子７と第２の発光素子８の位置関係によらず、各々の光信号Ｌ１，Ｌ２を共通の光伝送路３に導くことができる。したがって、光送信モジュール２内に各々の発光素子７，８を組み込む際のレイアウト上の自由度を高めることができる。ただし、第１の発光素子７と第２の発光素子８を互いに近接した状態で配置した構成では、導光部材９を使用しなくても各々の光信号Ｌ１，Ｌ２を光学的に結合させることが可能である。したがって、導光部材９については、必要に応じて設けるようにすればよい。
【００１８】
光伝送路３は、光送信モジュール２と光受信モジュール４とをつなぐ、例えば光ファイバーケーブルによって構成されるもので、伝送路の一端部から入力された光信号を伝送路の他端部へと伝送（伝達）するものである。光伝送路３の一端部は、光送信モジュール２に設けられた出力端子部（不図示）に接続され、同他端部は、光受信モジュール４に設けられた入力端子部（不図示）に接続される。したがって、上記第１の発光素子７によって変換された第１の光信号Ｌ１と上記第２の発光素子８によって変換された第２の光信号Ｌ２は、共通の光伝送路３を介して光受信モジュール４へと伝送される。
【００１９】
集光部材１０は、光伝送路３を介して伝送された光信号を集光する光学部品（例えば、集光レンズ）によって構成されるものである。集光部材１０は、光伝送路３の他端部（光取り出し口）から出力される光信号の拡散を自身の集光作用によって抑制することにより、当該光信号を受光素子１１に効率良く照射させるものである。なお、光伝送路３の他端部が接続される上記入力端子部（不図示）の近傍に受光素子１１を配置した構成では、集光部材１０を使用しなくても、光伝送路３の他端部から出力される光信号を効率良く受光素子１１に照射させることが可能である。したがって、集光部材１０については、必要に応じて設けるようにすればよい。
【００２０】
受光素子１１は、例えばフォトダイオード等の光電変換素子によって構成されるものである。受光素子１１は、光送信モジュール２から光伝送路３を介して伝送された光信号を受光するとともに、その受光量に応じたレベルの電気信号（電流）を発生させるものである。
【００２１】
受信回路１２は、受光素子１１で受光された光信号を電気信号に変換することにより、上記電気信号φ１と同一周期Ｔの電気信号φ２を生成するものである。受信回路１２は、例えば、受光素子１１からの信号出力レベル（電流レベル）を継続的に監視し、当該信号出力レベルが、受光素子１１への光信号の照射により、予め設定された基準レベルを超えると、その時点で光信号の受信を開始するとともに、その開始タイミングを起点に、元の電気信号φ１と同一周期Ｔで光信号を検知（サンプリング）する。
【００２２】
したがって、元の電気信号φ１と同じ周期Ｔ内に受光素子１１が光信号を複数回にわたって受光し、これにしたがって受光素子１１からの信号出力レベルが上記基準レベルを複数回にわたって超えたとしても、その回数とは無関係に、受信回路１２は、元の電気信号φ１の一周期Ｔごとに光信号を検知する。そのため、一周期Ｔ内に複数の光信号が含まれていたとしても、その中から択一的に同じ光信号だけを抽出することができる。
【００２３】
これにより、例えば光送信モジュール２から共通の光伝送路３を介して伝送された光信号Ｌ１，Ｌ２を受光素子１１で受光した場合は、上記信号遅延時間ｄによる時間差をもって受光素子１１からの信号出力レベルが基準レベルを２回続けて超えることになるが、受信回路１２では、受光素子１１からの信号出力レベルが最初に基準レベルを超えたタイミングを起点に、元の電気信号φ１と同一周期Ｔで光信号を検知するため、その一周期Ｔ内でタイミング的に早い方の光信号、つまり第１の光信号Ｌ１だけを検知する。したがって、駆動回路５に入力される元の電気信号φ１と受信回路１２で生成（再生）される電気信号φ２は、光通信システム１において実質的に同一の信号となる。なお、ここでは一周期Ｔ内でタイミング的に早い方の光信号を受信回路１２で検知するものとしたが、タイミング的に遅い方の光信号を検知するものとしてもかまわない。
【００２４】
図２は本発明の第１実施形態に係る光通信システムを用いた信号伝達の様子を示すタイミングチャートである。なお、第２の電気信号φ１２の波形は、遅延回路６で遅延させた後の信号波形である。また、光信号Ｌ３の波形は、光伝送路３を介して伝送される光信号の信号波形である。
【００２５】
図から明らかなように、第１の電気信号φ１１は、一定周期Ｔのパルス信号となっており、第２の電気信号φ１２は、第１の電気信号φ１１から時間ｄだけ遅延したパルス信号となっている。また、第１の光信号Ｌ１は、第１の電気信号φ１１に同期したタイミングで出力され、第２の光信号Ｌ２は、第２の電気信号φ１２に同期したタイミングで出力されている。したがって、光伝送路３を介して伝送される光信号Ｌ３は、第１の光信号Ｌ１と、当該第１の光信号Ｌ２から時間ｄだけ遅延した第２の光信号Ｌ２とが時系列に並んだ信号波形となっている。また、受信回路１２で生成される電気信号φ２は、２つの光信号Ｌ１，Ｌ２の合成波である光信号Ｌ３のなかで、タイミング的に早い第１の光信号Ｌ１に同期したタイミングで出力されている。
【００２６】
これに対して、第１の発光素子７が故障した場合は、図３に示すように信号の伝達が行われる。すなわち、第１の発光素子７が故障すると、第１の電気信号φ１１を第１の発光素子７に供給しても、第１の発光素子７が第１の光信号Ｌ１を出力しなくなる。このため、第２の発光素子８が出力する第２の光信号Ｌ２だけが光信号Ｌ３として光伝送路３を伝送される。したがって、受信回路１２で生成される電気信号φ２は、第２の光信号Ｌ２に同期したタイミング（換言すると、第１の発光素子７と第２の発光素子８が共に正常動作している場合よりも時間ｄだけ遅れたタイミング）で出力される。
【００２７】
一方、第２の発光素子８が故障した場合は、図４に示すように信号の伝達が行われる。すなわち、第２の発光素子８が故障すると、第２の電気信号φ１２を第２の発光素子８に供給しても、第２の発光素子８が第２の光信号Ｌ２を出力しなくなる。このため、第１の発光素子７が出力する第１の光信号Ｌ１だけが光信号Ｌ３として光伝送路３を伝送される。したがって、受信回路１２で生成される電気信号φ２は、第１の光信号Ｌ１に同期したタイミング（換言すると、第１の発光素子７と第２の発光素子８が共に正常動作している場合と同じタイミング）で出力される。
【００２８】
このように本発明の第１実施形態に係る光通信システム１においては、光送信モジュール２に設けられた第１の発光素子７と第２の発光素子８のどちらが故障した場合でも、光受信モジュール４内の受信回路１２にて元の電気信号φ１と実質同一の電気信号φ２を再生することができる。したがって、従来ように発光素子の動作状態を監視するモニタ機能や発光素子の故障を検知して駆動回路を切替える機能を設ける必要がなくなるため、発光素子の故障に対して冗長性の高い光通信システムを安価に実現することができる。
【００２９】
また、従来では、発光素子の故障を検知してから駆動回路を切り替えるまでに時間的なずれが生じるため、切り替え時に信号が一時的に不連続になるなどの問題があるが、上記構成の光通信システム１では、第２の発光素子８が故障した場合は、故障の影響を全く受けることなく、受信回路１２で元の信号を再生可能であり、第１の発光素子７が故障した場合は、受信回路１２で再生される電気信号φ２の出力タイミングに、遅延回路６による僅かな時間ｄの遅れ（ずれ）が生じるものの、実質的には故障の影響を殆ど受けることなく、受信回路１２で元の信号を再生可能である。したがって、いずれの発光素子が故障した場合でも、信号の連続性を維持して通信障害を回避し、光通信システム１を正常に動作させることができる。よって、信頼性の高い光通信システム１を実現することができる。
【００３０】
さらに、本発明の応用例として、元の電気信号φ１の周期Ｔに対して、遅延回路６による信号遅延時間ｄを十分に短い時間で設定できる場合は、遅延回路６で遅延させた第２の電気信号φ１２を、さらに別の１つ又は複数の遅延回路で遅延させ、その遅延信号を別の１つ又は複数の発光素子に供給して光信号に変換する構成を採用することも可能である。具体的には、例えば図５に示すように、駆動回路５に４つの出力端子を設けて、その入力端子から入力された元の電気信号φ１を４つに分岐して各々の出力端子から同時に出力する構成とする。そして、駆動回路５の第１の出力端子からは元の電気信号φ１をそのまま第１の電気信号φ１１として第１の発光素子７に供給する。また、駆動回路５の第２の出力端子からは元の電気信号φ１を遅延回路６-1で時間ｄだけ遅延させた第２の電気信号φ１２-1を第２の発光素子８-1に、駆動回路５の第３の出力端子からは元の電気信号φ１を遅延回路６-2で時間２×ｄだけ遅延させた第２の電気信号φ１２-2を第２の発光素子８-2に、駆動回路５の第４の出力端子からは元の電気信号φ１を遅延回路６-3で時間３×ｄだけ遅延させた第２の電気信号φ１２-3を第２の発光素子８-3に、それぞれ供給する。
【００３１】
かかる構成において、光送信モジュール２は、第１の電気信号φ１１からの遅延時間が相対的に異なる複数の遅延信号φ１２-1，φ１２-2，φ１２-3をそれぞれ発光素子駆動信号として出力し、それら複数の遅延信号φ１２-1，φ１２-2，φ１２-3と１対１で対応する複数個の第２の発光素子８-1，８-2，８-3を備えたものとなる。これにより、光送信モジュール２に設けられる発光素子の個数が増える分だけ、発光素子の故障に対する光通信システムの冗長性が高まる。このため、光通信システムの信頼性をより一層向上させることができる。
【００３２】
図６は本発明の第２実施形態に係る光通信システムの構成を示す概略図である。この第２実施形態に係る光通信システム１においては、上記第１実施形態と比較して、光送信モジュール２の構成が異なっている。すなわち、駆動回路５は、１つの入力端子と１つの出力端子とを備え、入力端子から入力された電気信号φ１をそのまま出力端子から出力するものとなっている。駆動回路５の出力端子から引き出された信号配線は途中で二股状に分岐している。そして、一方の分岐配線が第１の発光素子７に接続され、他方の分岐配線が遅延回路６に接続されている。
【００３３】
遅延回路６は、駆動回路５から出力されかつ分岐配線により分岐された第２の電気信号を上記第１実施形態と同様に所定の時間ｄだけ遅延させるものである。これにより、駆動回路５に入力された電気信号φ１は、上記分岐配線によって第１の電気信号φ１１と第２の電気信号φ１２に分岐されるとともに、第２の電気信号φ１２が遅延回路６で遅延された状態で第２の発光素子８に供給される。したがって、第２実施形態に係る光通信システム１を用いた信号伝達は、上記第１実施形態の場合と同様に行われる。よって、第２実施形態に係る光通信システム１を採用した場合も、上記第１実施形態と同様の効果が得られる。
【００３４】
図７は本発明の第３実施形態に係る光通信システムの構成を示す概略図である。この第３実施形態に係る光通信システム１においては、上記第１実施形態と比較して、光送信モジュール２の構成が異なっている。すなわち、光送信モジュール２には、第１の駆動回路５１と第２の駆動回路５２が設けられている。各々の駆動回路５１，５２は、いずれも１つの入力端子と１つの出力端子とを備えるものである。これらの駆動回路５１，５２の各入力端子には、同じ電気信号φ１が同時に入力されるものとなっている。また、第１の駆動回路５１は、入力端子から入力された電気信号φ１をそのまま第１の電気信号φ１１として出力端子から出力し、第２の駆動回路５２は、入力端子から入力された電気信号φ１をそのまま第２の電気信号φ１２として出力端子から出力するものとなっている。
【００３５】
遅延回路６は、第２の駆動回路５２から出力された第２の電気信号φ１２を上記第１実施形態と同様に所定の時間ｄだけ遅延させるものである。これにより、第１の駆動回路５１から出力された第１の電気信号φ１１は第１の発光素子７に供給され、第２の駆動回路５２から出力された第２の電気信号φ１２は遅延回路６で遅延された状態で第２の発光素子８に供給される。したがって、第３実施形態に係る光通信システム１を用いた信号伝達は、上記第１実施形態の場合と同様に行われる。よって、第３実施形態に係る光通信システム１を採用した場合も、上記第１実施形態と同様の効果が得られる。
【００３６】
図８は本発明の第４実施形態に係る光通信システムの構成を示す概略図である。この第４実施形態に係る光通信システム１においては、上記第３実施形態と比較して、光送信モジュール２における第２の駆動回路５２と遅延回路６の接続形態が異なっている。すなわち、上記第３実施形態においては、光送信モジュール２内の信号入出力系統のなかで第２の駆動回路５２の後段部分に遅延回路６を接続しているが、本第４実施形態においては、第２の駆動回路５２の前段部分に遅延回路６を接続した構成となっている。
【００３７】
かかる構成においては、第１の駆動回路５１に対して電気信号φ１が入力されるとともに、第２の駆動回路５２に対して電気信号φ１が遅延回路６を介して入力される。遅延回路６は、当該遅延回路６に入力される電気信号φ１を上記第１実施形態と同様に所定の時間ｄだけ遅延させるものである。これにより、第１の駆動回路５１からは、元の電気信号φ１がそのまま第１の電気信号φ１１として出力され、当該第１の電気信号φＬ１１が第１の発光素子７に供給される。これに対して、第２の駆動回路５２には、元の電気信号φ１を遅延回路６で遅延させた遅延信号が入力され、当該遅延信号が第２の駆動回路５２から第２の電気信号φ１２として第２の発光素子８に供給される。したがって、第４実施形態に係る光通信システム１を用いた信号伝達は、上記第１実施形態の場合と同様に行われる。よって、第４実施形態に係る光通信システム１を採用した場合も、上記第１実施形態と同様の効果が得られる。
【００３８】
また、上記第２〜第４実施形態においても、その応用例として、上記図５に例示したように光送信モジュール２内に３個以上の発光素子を設けた構成を採用することにより、発光素子の故障に対する光通信システムの冗長性を高めることができる。
【００３９】
また、本発明は、上記構成からなる光送信モジュール２と光受信モジュール４とを一体に備える光送受信モジュールユニットとして実現することも可能である。
【図面の簡単な説明】
【００４０】
【図１】本発明の第１実施形態に係る光通信システムの構成を示す概略図である。
【図２】本発明の第１実施形態に係る光通信システムを用いた信号伝達のタイミングチャート（その１）である。
【図３】本発明の第１実施形態に係る光通信システムを用いた信号伝達のタイミングチャート（その２）である。
【図４】本発明の第１実施形態に係る光通信システムを用いた信号伝達のタイミングチャート（その３）である。
【図５】本発明の応用例を説明する図である。
【図６】本発明の第２実施形態に係る光通信システムの構成を示す概略図である。
【図７】本発明の第３実施形態に係る光通信システムの構成を示す概略図である。
【図８】本発明の第４実施形態に係る光通信システムの構成を示す概略図である。
【符号の説明】
【００４１】
１…光通信システム、２…光送信モジュール、３…光伝送路、４…光受信モジュール、５，５１，５２…駆動回路、６…遅延回路、７…第１の発光素子、８…第２の発光素子、９…導光部材、１０…集光部材、１１…受光素子、１２…受信回路、φ１，φ２，φ１１，φ１２…電気信号、Ｌ１，Ｌ２，Ｌ３…光信号
【図１】
2006314024.tif 000003
【図２】
2006314024.tif 000004
【図３】
2006314024.tif 000005
【図４】
2006314024.tif 000006
【図５】
2006314024.tif 000007
【図６】
2006314024.tif 000008
【図７】
2006314024.tif 000009
【図８】
2006314024.tif 000010